【手続補正書】
【提出日】平成18年4月26日(2006.4.26)
【手続補正１】
【補正対象書類名】明細書
【補正対象項目名】発明の名称
【補正方法】変更
【補正の内容】
【発明の名称】カラー通信装置
【手続補正２】
【補正対象書類名】明細書
【補正対象項目名】特許請求の範囲
【補正方法】変更
【補正の内容】
【特許請求の範囲】
【請求項１】  カラー画情報をやりとりする機能を備えたカラー通信装置において、
カラー画像データを可逆符号化方式および非可逆符号化方式を用いて符号化するとともに、可逆符号化方式または非可逆符号化方式で符号化されたカラー画情報を元のカラー画像データに復号化する機能を備えたカラー画像符号化復号化手段を備え、
カラー画情報送信時に、転送系のアプリケーションが指定された場合には、上記カラー画像符号化復号化手段により、カラー画像データを上記可逆符号化方式により符号化圧縮してカラー画情報を作成することを特徴とするカラー通信装置。
【請求項２】  カラー画情報をやりとりする機能を備えたカラー通信装置において、
カラー画像データを可逆符号化方式および非可逆符号化方式を用いて符号化するとともに、可逆符号化方式または非可逆符号化方式で符号化されたカラー画情報を元のカラー画像データに復号化する機能を備えたカラー画像符号化復号化手段を備え、
カラー画情報送信時に、転送系のアプリケーションが指定された場合には、上記カラー画像符号化復号化手段により、カラー画像データを上記可逆符号化方式により符号化圧縮してカラー画情報を作成する一方、
画情報受信時、カラー画情報を受信するとともに、転送系のアプリケーションが指定された場合、指定された転送宛先へ受信したカラー画情報を送信する際、当該転送宛先に送信するカラー画像を加工する必要がある場合には、受信したカラー画情報を上記可逆符号化方式により上記カラー画像符号化復号化手段により元のカラー画像データに復号化し、その復号化後のカラー画像データを、上記転送宛先に対応して加工処理し、その加工処理後のカラー画像データを、上記カラー画像符号化復号化手段により、上記転送宛先との間で交渉して決定した符号化方式で符号化し、それによって得たカラー画情報を送信することを特徴とするカラー通信装置。
【請求項３】  カラー画情報をやりとりする機能を備えたカラー通信装置において、
カラー画像データを符号化復号化する際に参照する量子化テーブルを複数有するカラー画像符号化復号化手段を備え、
カラー画情報送信時に、転送系のアプリケーションが指定された場合には、上記カラー画像符号化復号化手段に、より劣化の少ない量子化テーブルを指定して、カラー画像データを符号化させるとともに、相手端末に使用した上記量子化テーブルを通知することを特徴とするカラー通信装置。
【請求項４】  カラー画情報をやりとりする機能を備えたカラー通信装置において、
カラー画像データを符号化復号化する際に参照する量子化テーブルを複数有するカラー画像符号化復号化手段を備え、
カラー画情報送信時に、転送系のアプリケーションが指定された場合には、上記カラー画像符号化復号化手段に、より劣化の少ない量子化テーブルを指定して、カラー画像データを符号化させるとともに、相手端末に使用した上記量子化テーブルを通知する一方、
画情報受信時、カラー画情報を受信するとともに、転送系のアプリケーションが指定された場合、指定された転送宛先へ受信したカラー画情報を送信する際、当該転送宛先に送信するカラー画像を加工する必要がある場合には、受信したカラー画情報を受信した量子化テーブルを用い、上記カラー画像符号化復号化手段により元のカラー画像データに復号化し、その復号化後のカラー画像データを、上記転送宛先に対応して加工処理し、その加工処理後のカラー画像データを、上記カラー画像符号化復号化手段により、上記転送宛先との間で交渉して決定した符号化方式で符号化し、それによって得たカラー画情報を送信することを特徴とするカラー通信装置。
【請求項５】  カラー画情報をやりとりする機能を備えたカラー通信装置において、
カラー画像データを可逆符号化方式および非可逆符号化方式を用いて符号化するとともに、可逆符号化方式または非可逆符号化方式で符号化されたカラー画情報を元のカラー画像データに復号化する機能を備えたカラー画像符号化復号化手段を備え、
画情報受信時、カラー画情報を受信するとともに、転送系のアプリケーションが指定された場合、指定された転送宛先へ受信したカラー画情報を送信する際、当該転送宛先に送信するカラー画像を加工する必要がある場合には、受信したカラー画情報を上記カラー画像符号化復号化手段により元のカラー画像データに復号化し、その復号化後のカラー画像データを、上記転送宛先に対応して加工処理し、その加工処理後のカラー画像データを、上記カラー画像符号化復号化手段により、上記可逆符号化方式により符号化圧縮してカラー画情報を作成し、その作成したカラー画情報を送信することを特徴とするカラー通信装置。
【手続補正３】
【補正対象書類名】明細書
【補正対象項目名】０００１
【補正方法】変更
【補正の内容】
【０００１】
【発明の属する技術分野】
本発明は、カラー画情報をやりとりする機能を備えたカラー通信装置に関する。
【手続補正４】
【補正対象書類名】明細書
【補正対象項目名】０００９
【補正方法】変更
【補正の内容】
【０００９】
本発明は、かかる実情に鑑みてなされたものであり、転送系アプリケーションを行った場合でも画質劣化を極力抑えることができるカラー通信装置を提供することを目的としている。
【手続補正５】
【補正対象書類名】明細書
【補正対象項目名】００１０
【補正方法】変更
【補正の内容】
【００１０】
【課題を解決するための手段】
本発明は、カラー画情報をやりとりする機能を備えたカラー通信装置において、カラー画像データを可逆符号化方式および非可逆符号化方式を用いて符号化するとともに、可逆符号化方式または非可逆符号化方式で符号化されたカラー画情報を元のカラー画像データに復号化する機能を備えたカラー画像符号化復号化手段を備え、カラー画情報送信時に、転送系のアプリケーションが指定された場合には、上記カラー画像符号化復号化手段により、カラー画像データを上記可逆符号化方式により符号化圧縮してカラー画情報を作成するようにしたものである。
【手続補正６】
【補正対象書類名】明細書
【補正対象項目名】００１１
【補正方法】変更
【補正の内容】
【００１１】
また、カラー画情報をやりとりする機能を備えたカラー通信装置において、カラー画像データを可逆符号化方式および非可逆符号化方式を用いて符号化するとともに、可逆符号化方式または非可逆符号化方式で符号化されたカラー画情報を元のカラー画像データに復号化する機能を備えたカラー画像符号化復号化手段を備え、カラー画情報送信時に、転送系のアプリケーションが指定された場合には、上記カラー画像符号化復号化手段により、カラー画像データを上記可逆符号化方式により符号化圧縮してカラー画情報を作成する一方、画情報受信時、カラー画情報を受信するとともに、転送系のアプリケーションが指定された場合、指定された転送宛先へ受信したカラー画情報を送信する際、当該転送宛先に送信するカラー画像を加工する必要がある場合には、受信したカラー画情報を上記可逆符号化方式により上記カラー画像符号化復号化手段により元のカラー画像データに復号化し、その復号化後のカラー画像データを、上記転送宛先に対応して加工処理し、その加工処理後のカラー画像データを、上記カラー画像符号化復号化手段により、上記転送宛先との間で交渉して決定した符号化方式で符号化し、それによって得たカラー画情報を送信するようにしたものである。
【手続補正７】
【補正対象書類名】明細書
【補正対象項目名】００１２
【補正方法】変更
【補正の内容】
【００１２】
また、カラー画情報をやりとりする機能を備えたカラー通信装置において、カラー画像データを符号化復号化する際に参照する量子化テーブルを複数有するカラー画像符号化復号化手段を備え、カラー画情報送信時に、転送系のアプリケーションが指定された場合には、上記カラー画像符号化復号化手段に、より劣化の少ない量子化テーブルを指定して、カラー画像データを符号化させるとともに、相手端末に使用した上記量子化テーブルを通知するようにしたものである。
【手続補正８】
【補正対象書類名】明細書
【補正対象項目名】００１３
【補正方法】変更
【補正の内容】
【００１３】
また、カラー画情報をやりとりする機能を備えたカラー通信装置において、カラー画像データを符号化復号化する際に参照する量子化テーブルを複数有するカラー画像符号化復号化手段を備え、カラー画情報送信時に、転送系のアプリケーションが指定された場合には、上記カラー画像符号化復号化手段に、より劣化の少ない量子化テーブルを指定して、カラー画像データを符号化させるとともに、相手端末に使用した上記量子化テーブルを通知する一方、画情報受信時、カラー画情報を受信するとともに、転送系のアプリケーションが指定された場合、指定された転送宛先へ受信したカラー画情報を送信する際、当該転送宛先に送信するカラー画像を加工する必要がある場合には、受信したカラー画情報を受信した量子化テーブルを用い、上記カラー画像符号化復号化手段により元のカラー画像データに復号化し、その復号化後のカラー画像データを、上記転送宛先に対応して加工処理し、その加工処理後のカラー画像データを、上記カラー画像符号化復号化手段により、上記転送宛先との間で交渉して決定した符号化方式で符号化し、それによって得たカラー画情報を送信するようにしたものである。
【手続補正９】
【補正対象書類名】明細書
【補正対象項目名】００１４
【補正方法】変更
【補正の内容】
【００１４】
また、カラー画情報をやりとりする機能を備えたカラー通信装置において、カラー画像データを可逆符号化方式および非可逆符号化方式を用いて符号化するとともに、可逆符号化方式または非可逆符号化方式で符号化されたカラー画情報を元のカラー画像データに復号化する機能を備えたカラー画像符号化復号化手段を備え、画情報受信時、カラー画情報を受信するとともに、転送系のアプリケーションが指定された場合、指定された転送宛先へ受信したカラー画情報を送信する際、当該転送宛先に送信するカラー画像を加工する必要がある場合には、受信したカラー画情報を上記カラー画像符号化復号化手段により元のカラー画像データに復号化し、その復号化後のカラー画像データを、上記転送宛先に対応して加工処理し、その加工処理後のカラー画像データを、上記カラー画像符号化復号化手段により、上記可逆符号化方式により符号化圧縮してカラー画情報を作成し、その作成したカラー画情報を送信するようにしたものである。